(57)【要約】      （修正有）【課題】麻酔科医などの医療従事者の負担を軽減する表示装置を提供する。【解決手段】第１信号受信部２１は、被検者に対する筋弛緩薬と拮抗剤の少なくとも一方の薬物の投与状態に対応する第１信号を受信する。第２信号受信部２２は、第１電気刺激に対する前記被検者の筋の第１反応に対応する第２信号を受信する。動態演算部３１は、第１信号に基づいて、薬物の薬物動態を演算により取得する。第１表示制御部４１は、第１信号に基づいて表示画面１０の第１領域１１に投与状態のトレンドを表示させる。第２表示制御部４２は、第２領域１２に薬物動態のトレンドを表示させる。第３表示制御部４３は、第２信号に基づいて第３領域１３に第１反応のトレンドを表示させる。第１表示制御部４１、第２表示制御部４２、第３表示制御部４３は、投与状態のトレンド、薬物動態のトレンド、および第１反応のトレンドを、時間的に同期された状態で表示画面１０に表示させる。【選択図】図１
2015051227.tif 000002
【特許請求の範囲】
【請求項１】
筋弛緩情報の表示装置であって、
表示画面と、
被検者に対する筋弛緩薬と拮抗剤の少なくとも一方の薬物の投与状態に対応する第１信号を受信する第１信号受信部と、
第１電気刺激に対する前記被検者の筋の第１反応に対応する第２信号を受信する第２信号受信部と、
前記第１信号に基づいて、前記薬物の薬物動態を演算により取得する動態演算部と、
前記第１信号に基づいて、前記表示画面の第１領域に前記投与状態のトレンドを表示させる第１表示制御部と、
前記表示画面の第２領域に前記薬物動態のトレンドを表示させる第２表示制御部と、
前記第２信号に基づいて、前記表示画面の第３領域に前記第１反応のトレンドを表示させる第３表示制御部とを備え、
前記第１表示制御部、前記第２表示制御部、および前記第３表示制御部は、前記投与状態のトレンド、前記薬物動態のトレンド、および前記第１反応のトレンドを、時間的に同期された状態で、前記表示画面に表示させる、表示装置。
【請求項２】
第２信号受信部は、前記第１電気刺激よりも強い第２電気刺激に対する前記被検者の筋の第２反応に対応する第３信号を受信し、
前記第３信号に基づいて、前記表示画面の第４領域に前記第２反応のトレンドを表示させる第４表示制御部を備え、
前記第４表示制御部は、前記第２反応のトレンドを、前記投与状態のトレンド、前記薬物動態のトレンド、および前記第１反応のトレンドに対して時間的に同期された状態で、前記表示画面に表示させる、請求項１に記載の表示装置。
【請求項３】
ユーザの指示が入力される指示入力部を備え、
前記第４表示制御部は、前記指示に基づいて、前記第４領域の表示と非表示を切替え可能である、請求項２に記載の表示装置。
【請求項４】
前記第１表示制御部は、前記第１領域における時間軸の第１の側に前記筋弛緩薬の投与状態を表示させ、前記時間軸の第２の側に前記拮抗剤の投与状態を表示させる、請求項１から３のいずれか一項に記載の表示装置。
【請求項５】
前記薬物動態のトレンドと前記第１反応のトレンドに基づいて、前記筋弛緩薬の持続投与量を演算により取得する投与量演算部と、
前記持続投与量を示す情報を出力する投与量出力部とを備える、請求項１から４のいずれか一項に記載の表示装置。
【請求項６】
筋弛緩情報の表示方法であって、
筋弛緩薬と拮抗剤の少なくとも一方の薬物の投与状態のトレンドを、表示画面の第１領域に表示し、
演算により取得した前記薬物の薬物動態のトレンドを、前記表示画面の第２領域に表示し、
第１電気刺激に対する被検者の筋の第１反応のトレンドを、前記表示画面の第３領域に表示し、
前記投与状態のトレンド、前記薬物動態のトレンド、および前記第１反応のトレンドは、時間的に同期された状態で、前記表示画面に表示される、表示方法。
【請求項７】
筋弛緩情報の表示装置を制御するプログラムであって、
前記表示装置は、表示画面、および当該表示画面と接続されたコンピュータを備え、
前記プログラムは、前記コンピュータを、
筋弛緩薬と拮抗剤の少なくとも一方の薬物の投与状態に対応する第１信号を受信する第１信号受信部、
第１電気刺激に対する被検者の筋の第１反応に対応する第２信号を受信する第２信号受信部、
前記第１信号に基づいて、前記薬物の薬物動態を演算により取得する動態演算部、
前記第１信号に基づいて、前記表示画面の第１領域に前記投与状態のトレンドを表示させる第１表示制御部、
前記表示画面の第２領域に前記薬物動態のトレンドを表示させる第２表示制御部、および
前記第２信号に基づいて、前記表示画面の第３領域に前記第１反応のトレンドを表示させる第３表示制御部として動作させ、
前記投与状態のトレンド、前記薬物動態のトレンド、および前記第１反応のトレンドが、時間的に同期された状態で前記表示画面に表示されるように、前記第１表示制御部、前記第２表示制御部、および前記第３表示制御部を動作させる、プログラム。
【発明の詳細な説明】
【技術分野】
【０００１】
本発明は、筋弛緩情報の表示装置、筋弛緩情報の表示方法、および筋弛緩情報の表示装置を制御するプログラムに関する。
【背景技術】
【０００２】
特許文献１は、全身麻酔を行なう際に使用される筋弛緩薬の適切な投与量および投与タイミングを判断するために、被検者の筋弛緩情報をモニタする装置を開示している。当該装置によれば、被検者の筋に与えた電気刺激に対する反応のトレンドを取得し、表示させることができる。
【先行技術文献】
【特許文献】
【０００３】
【特許文献１】特開平１０−５７３２０号公報
【発明の概要】
【発明が解決しようとする課題】
【０００４】
全身麻酔が行なわれる際には、筋弛緩薬や拮抗剤といった薬物の投与履歴や、生体信号モニタを通じて取得される被検者の生体情報などが、電子麻酔記録システムを通じて記録される。筋弛緩情報のモニタ装置より提供される被検者反応のトレンドは、電子麻酔記録システムが提供する情報の表示画面とは異なる専用画面を通じて提供されることが一般的である。麻酔科医などの医療従事者は、麻酔深度に応じた適切な薬物の投与量と投与タイミングを判断するに際し、別画面を通じて提供される情報を比較検討するという煩雑な作業を強いられている。
【０００５】
よって本発明は、麻酔科医などの医療従事者の負担を軽減する技術を提供することを目的とする。
【課題を解決するための手段】
【０００６】
上記の目的を達成するために、本発明がとりうる第１の態様は、筋弛緩情報の表示装置であって、
表示画面と、
被検者に対する筋弛緩薬と拮抗剤の少なくとも一方の薬物の投与状態に対応する第１信号を受信する第１信号受信部と、
第１電気刺激に対する前記被検者の筋の第１反応に対応する第２信号を受信する第２信号受信部と、
前記第１信号に基づいて、前記薬物の薬物動態を演算により取得する動態演算部と、
前記第１信号に基づいて、前記表示画面の第１領域に前記投与状態のトレンドを表示させる第１表示制御部と、
前記表示画面の第２領域に前記薬物動態のトレンドを表示させる第２表示制御部と、
前記第２信号に基づいて、前記表示画面の第３領域に前記第１反応のトレンドを表示させる第３表示制御部とを備え、
前記第１表示制御部、前記第２表示制御部、および前記第３表示制御部は、前記投与状態のトレンド、前記薬物動態のトレンド、および前記第１反応のトレンドを、時間的に同期された状態で、前記表示画面に表示させる。
【０００７】
上記の目的を達成するために、本発明がとりうる第２の態様は、筋弛緩情報の表示方法であって、
筋弛緩薬と拮抗剤の少なくとも一方の薬物の投与状態のトレンドを、表示画面の第１領域に表示し、
演算により取得した前記薬物の薬物動態のトレンドを、前記表示画面の第２領域に表示し、
第１電気刺激に対する被検者の筋の第１反応のトレンドを、前記表示画面の第３領域に表示し、
前記投与状態のトレンド、前記薬物動態のトレンド、および前記第１反応のトレンドは、時間的に同期された状態で、前記表示画面に表示される。
【０００８】
上記の目的を達成するために、本発明がとりうる第３の態様は、筋弛緩情報の表示装置を制御するプログラムであって、
前記表示装置は、表示画面、および当該表示画面と接続されたコンピュータを備え、
前記プログラムは、前記コンピュータを、
筋弛緩薬と拮抗剤の少なくとも一方の薬物の投与状態に対応する第１信号を受信する第１信号受信部、
第１電気刺激に対する被検者の筋の第１反応に対応する第２信号を受信する第２信号受信部、
前記第１信号に基づいて、前記薬物の薬物動態を演算により取得する動態演算部、
前記第１信号に基づいて、前記表示画面の第１領域に前記投与状態のトレンドを表示させる第１表示制御部、
前記表示画面の第２領域に前記薬物動態のトレンドを表示させる第２表示制御部、および
前記第２信号に基づいて、前記表示画面の第３領域に前記第１反応のトレンドを表示させる第３表示制御部として動作させ、
前記投与状態のトレンド、前記薬物動態のトレンド、および前記第１反応のトレンドが、時間的に同期された状態で前記表示画面に表示されるように、前記第１表示制御部、前記第２表示制御部、および前記第３表示制御部を動作させる。
【０００９】
このような構成によれば、薬物投与状態のトレンド、薬物動態のトレンド、および第１反応のトレンドが、単一の表示画面内に集約されて表示されるため、麻酔科医などの医療従事者が、別々の画面を通じて提供されるこれらのトレンド情報を見比べる作業の煩雑さを解消できる。さらに、これらのトレンド情報が時間的に同期された状態で表示されるため、トレンド情報間の関係が直感的に把握しやすく、麻酔深度に応じた適切な薬物の投与量や投与タイミングの判断が容易となる。したがって、麻酔科医などの医療従事者の負担を軽減できる。
【００１０】
第２信号受信部は、前記第１電気刺激よりも強い第２電気刺激に対する前記被検者の筋の第２反応に対応する第３信号を受信し、前記第３信号に基づいて、前記表示画面の第４領域に前記第２反応のトレンドを表示させる第４表示制御部を備える構成としてもよい。この場合、前記第４表示制御部は、前記第２反応のトレンドを、前記投与状態のトレンド、前記薬物動態のトレンド、および前記第１反応のトレンドに対して時間的に同期された状態で、前記表示画面に表示させる。
【００１１】
このような構成によれば、薬物投与状態のトレンド、薬物動態のトレンド、および第１反応のトレンドに加え、第２反応のトレンドが単一の表示画面内に集約されて表示されるため、麻酔科医などの医療従事者が、別々の画面を通じて提供されるこれらのトレンド情報を見比べる作業の煩雑さを解消できる。特に麻酔深度の深い状態における筋弛緩情報である第２反応のトレンドが、他のトレンド情報と時間的に同期された状態で表示されるため、麻酔深度に応じた適切な薬物の投与量や投与タイミングの判断がより確実となる。したがって、麻酔科医などの医療従事者の負担を軽減できる。
【００１２】
ユーザの指示が入力される指示入力部を備え、前記第４表示制御部は、前記指示に基づいて、前記第４領域の表示と非表示を切替え可能である構成としてもよい。
【００１３】
このような構成によれば、必要な場合のみ第４領域を表示画面に出現させることが可能となる。第２反応のトレンドを表示させる必要がない状況下では、第４領域を非表示状態に切り替えることにより、視認される情報を最小限とすることができる。これにより麻酔科医などの医療従事者は、必要な判断作業に集中することができる。したがって、麻酔科医などの医療従事者の負担を軽減できる。
【００１４】
前記第１表示制御部は、前記第１領域における時間軸の第１の側に前記筋弛緩薬の投与状態を表示させ、前記時間軸の第２の側に前記拮抗剤の投与状態を表示させる構成としてもよい。
【００１５】
このような構成によれば、種類の異なる薬物の投与状態を、混同を招来することなく直感的に把握できる。したがって、麻酔科医などの医療従事者の負担を軽減できる。
【００１６】
前記薬物動態のトレンドと前記第１反応のトレンドに基づいて、前記筋弛緩薬の持続投与量を演算により取得する投与量演算部と、前記持続投与量を示す情報を出力する投与量出力部とを備える構成としてもよい。
【００１７】
このような構成によれば、初回の筋弛緩薬投与イベントに基づいて、次回以降の筋弛緩薬投与イベントにおける筋弛緩薬の持続投与量を示す情報が自動的に提供される。麻酔科医などの医療従事者は、経験や勘に基づく判断に依存することなく、当該情報に基づいて持続投与量を決定できる。したがって、麻酔科医などの医療従事者の負担を軽減できる。
【図面の簡単な説明】
【００１８】
【図１】本発明の一実施形態に係る表示装置の構成を示すブロック図である。
【図２】表示装置が備える表示画面の構成を模式的に示す図である。
【図３】第４領域を非表示にした状態の表示画面の構成を模式的に示す図である。
【図４】表示画面の第１領域に表示される情報の一例を模式的に示す図である。
【発明を実施するための形態】
【００１９】
本発明に係る実施形態の例を添付の図面を参照しつつ以下詳細に説明する。
【００２０】
図１は、本発明の一実施形態に係る表示装置１の構成を示すブロック図である。表示装置１は、筋弛緩情報を表示する装置である。表示装置１は、表示画面１０、第１信号受信部２１、第２信号受信部２２、動態演算部３１、第１表示制御部４１、第２表示制御部４２、および第３表示制御部４３を備えている。
【００２１】
表示画面１０は、単一のディスプレイ装置が備える表示画面、あるいは当該表示画面に表示された単一のアプリケーションウインドウである。表示画面１０は、第１領域１１、第２領域１２、および第３領域を有している。図２に示すように、第１領域１１、第２領域１２、および第３領域１３は、表示画面１０内において上下方向に配列されている。
【００２２】
第１信号受信部２１は、被検者に対する筋弛緩薬と拮抗薬の少なくとも一方の薬物の投与状態に対応する第１信号を受信する。投与状態とは、投与した薬物の種別、投与した薬物の量、薬物を投与したタイミング（時刻など）を含む情報である。第１信号は、例えば電子麻酔記録システムを通じて第１信号受信部２１に入力される。
【００２３】
動態演算部３１は、第１信号受信部２１が受信した第１信号に基づいて、被検者に投与された薬物の薬物動態を演算により取得する。薬物動態とは、投与された薬物の血中濃度や効果部位濃度などを含む情報である。薬物の投与状態と薬物動態の関係は、既知の関係式を用いて演算される。すなわち、取得される薬物動態は被検者の体内に投与された薬物濃度の実測値ではなく、演算によりシミュレートされた値である。
【００２４】
第１表示制御部４１は、第１信号受信部２１が受信した第１信号に基づいて、表示画面１０の第１領域１１に、薬物投与状態のトレンド６１を表示する。図２に示す第１領域１１においては、横軸は時間を、縦軸は薬物の投与量を示している。例えば、筋弛緩薬の投与状態のトレンドが、棒グラフ状の態様で第１領域１１に表示される。すなわち、各棒グラフの高さが筋弛緩薬の投与量を示し、各棒グラフの横幅が当該筋弛緩薬の投与継続時間を示している。
【００２５】
第２表示制御部４２は、表示画面１０の第２領域１２に、動態演算部３１が演算により取得した薬物動態のトレンド６２を表示する。図２に示す第２領域１２においては、横軸は時間を、縦軸は薬物濃度を示している。例えば、被検者に投与された筋弛緩薬の血中濃度６２ａおよび効果部位濃度６２ｂの経時変化をシミュレーションした結果が、第２領域１２に表示される。
【００２６】
第２信号受信部２２は、第１電気刺激に対する被検者の筋の反応に対応する第２信号を受信する。第１電気刺激は、周知の筋弛緩モニタ装置を用い、例えばＴＯＦ（Train of Four）刺激に基づいて被検者に与えられる。ＴＯＦ刺激においては、０．５秒間隔で４回連続する刺激を１セットとし、１セットの刺激が１５秒間隔で繰り返される。この場合、第１電気刺激に対する筋の反応（第１反応の一例）は、ＴＯＦ比で表わされる。ＴＯＦ比は、上記１セットにおける第１刺激に対する反応と第４刺激に対する反応の比を示す。筋弛緩薬が作用していない場合のＴＯＦ比は１００％となる。また第１刺激に対する筋収縮率を示す％Ｔ１という指標が存在する。ＴＯＦ比および％Ｔ１に対応する第２信号は、当該筋弛緩モニタ装置を通じて第２信号受信部２２に入力される。
【００２７】
第３表示制御部４３は、第２信号受信部２２が受信した第２信号に基づいて、表示画面１０の第３領域１３に、ＴＯＦ比と％Ｔ１のトレンド６３を表示する。図２に示す第３領域１３においては、横軸は時間を、縦軸はＴＯＦ比および％Ｔ１を示している。例えば、所定の刺激に対して得られたＴＯＦ比がプロットの態様で、％Ｔ１が棒グラフ状の態様で第３領域１３に表示される。すなわち、各プロットと各棒グラフの高さは、それぞれＴＯＦ比と％Ｔ１の大きさを示し、各プロットと各棒グラフの横軸方向における位置は、それぞれ当該ＴＯＦ比と％Ｔ１が得られた時刻を示している。
【００２８】
図２に示すように、第１表示制御部４１、第２表示制御部４２、および第３表示制御部４３は、薬物投与状態のトレンド６１、薬物動態のトレンド６２、およびＴＯＦ比と％Ｔ１のトレンド６３を、時間的に同期された状態で上下方向に並ぶように、表示画面１０に表示させる。すなわち図２における縦線Ｔ０上に位置する薬物投与状態のトレンド６１、薬物動態のトレンド６２、およびＴＯＦ比と％Ｔ１のトレンド６３の各々に含まれるデータは、同時刻に取得されたデータであることを意味する。
【００２９】
このような構成によれば、薬物投与状態のトレンド６１、薬物動態のトレンド６２、およびＴＯＦ比と％Ｔ１のトレンド６３が、単一の表示画面１０内に集約されて表示されるため、麻酔科医などの医療従事者が、別々の画面を通じて提供されるこれらのトレンド情報を見比べる作業の煩雑さを解消できる。さらに、これらのトレンド情報が時間的に同期された状態で上下方向に並んでいるため、トレンド情報間の関係が直感的に把握しやすく、麻酔深度に応じた適切な薬物の投与量や投与タイミングの判断が容易となる。したがって、麻酔科医などの医療従事者の負担を軽減できる。
【００３０】
図１に示すように、表示装置１は、第３信号受信部２３と第４表示制御部４４をさらに備えている。また表示画面１０は、第４領域１４をさらに備えている。図２に示すように、第４領域１４は、表示画面１０内において第３領域１３の下方に配置されている。
【００３１】
第３信号受信部２３は、第２電気刺激に対する被検者の筋の反応に対する第３信号を受信する。第２電気刺激は、第１電気刺激よりも強い刺激である。第２電気刺激は、周知の筋弛緩モニタ装置を用い、例えばＰＴＣ（Post TetanicCount）刺激に基づいて被検者に与えられる。ＰＴＣ刺激においては、最初に１Ｈｚの刺激を１５回与え、当該刺激に対する反応が全くないことが確認されると、テタヌス刺激が与えられる。テタヌス刺激は、５０Ｈｚまたは１００Ｈｚの刺激を５秒間与える。その３秒後に１Ｈｚの刺激を１５回与え、出現する反応の個数から次に４連続刺激（ＴＯＦ刺激）に対する反応が出現する時期を推測する方法である。出現した反応の個数をＰＴＣと称する。また、ＴＯＦ刺激を行なって％Ｔ１が２０％未満または％Ｔ４（ＴＯＦ刺激の第４収縮率）が０％である場合に４回の刺激に対して何回の反応があったかを示すＴＯＦカウントという指標も存在する。ＰＴＣとＴＯＦカウントの少なくとも一方に対応する第３信号は、当該筋弛緩モニタ装置を通じて第３信号受信部２３に入力される。
【００３２】
第４表示制御部４４は、第３信号受信部２３が受診した第３信号に基づいて、表示画面１０の第４領域１４に、ＰＴＣとＴＯＦカウントのトレンド６４を表示する。図２に示す第４領域１４においては、横軸は時間を、縦軸はＰＴＣとＴＯＦカウントを示している。例えば、所定の刺激に対して得られたＴＯＦカウントが棒グラフ状の態様で、ＰＴＣがプロットの態様で第４領域１４に表示される。すなわち、各棒グラフと各プロットの高さは、それぞれＴＯＦカウントとＰＴＣの大きさを示し、各棒グラフと各プロットの横軸方向における位置は、当該ＴＯＦカウントとＰＴＣが得られた時刻を示している。
【００３３】
図２に示すように、第４表示制御部４４は、ＴＯＦカウントとＰＴＣのトレンド６４を、薬物投与状態のトレンド６１、薬物動態のトレンド６２、およびＴＯＦ比と％Ｔ１のトレンド６３に対して時間的に同期された状態で上下方向に並ぶように、表示画面１０に表示させる。すなわち図２における縦線Ｔ０上に位置する薬物投与状態のトレンド６１、薬物動態のトレンド６２、ＴＯＦ比と％Ｔ１のトレンド６３、およびＴＯＦカウントとＰＴＣのトレンド６４の各々に含まれるデータは、同時刻に取得されたデータであることを意味する。
【００３４】
このような構成によれば、薬物投与状態のトレンド６１、薬物動態のトレンド６２、およびＴＯＦ比と％Ｔ１のトレンド６３に加え、ＴＯＦカウントとＰＴＣのトレンド６４が単一の表示画面１０内に集約されて表示されるため、麻酔科医などの医療従事者が、別々の画面を通じて提供されるこれらのトレンド情報を見比べる作業の煩雑さを解消できる。特に麻酔深度の深い状態における筋弛緩情報であるＴＯＦカウントとＰＴＣのトレンドが、他のトレンド情報と時間的に同期された状態で表示されるため、麻酔深度に応じた適切な薬物の投与量や投与タイミングの判断がより確実となる。したがって、麻酔科医などの医療従事者の負担を軽減できる。
【００３５】
図１に示すように、表示装置１は、指示入力部２４をさらに備える。指示入力部２４には、ユーザの指示が入力される。当該指示は、第４領域１４を表示状態とするか非表示状態とするかを選択する指示を含む。第４表示制御部４４は、当該指示に基づいて、表示画面１０における第４領域１４の表示と非表示を切り替え可能である。図３は、第４領域１４が非表示とされた状態の表示画面１０を示している。
【００３６】
このような構成によれば、必要な場合のみ第４領域１４を表示画面１０に出現させることが可能となる。ＴＯＦカウントとＰＴＣのトレンド６４を表示させる必要がない状況下では、図３に示すように第４領域１４を非表示状態に切り替えることにより、視認される情報を最小限とすることができる。これにより麻酔科医などの医療従事者は、必要な判断作業に集中することができる。したがって、麻酔科医などの医療従事者の負担を軽減できる。
【００３７】
図４は、表示画面１０の第１領域１１に表示される薬物投与状態のトレンド６１の別例を示している。本例において第１表示制御部４１は、第１領域１１における時間軸１１ａの上側（第１の側の一例）に筋弛緩薬の投与状態を、下側（第２の側の一例）に拮抗剤の投与状態を表示させる。筋弛緩薬の投与を示す棒グラフ６１ａは、投与量が多いほど時間軸１１ａから上方に延び、拮抗薬の投与を示す棒グラフ６１ｂは、投与量が多いほど時間軸１１ａから下方に延びる。棒グラフ６１ａの色と棒グラフ６１ｂの色は異なることが好ましい。
【００３８】
このような構成によれば、種類の異なる薬物の投与状態を、混同を招来することなく直感的に把握できる。したがって、麻酔科医などの医療従事者の負担を軽減できる。
【００３９】
図１に示すように、表示装置１は、投与量演算部５１と投与量出力部５２をさらに備えている。
【００４０】
投与量演算部５１は、薬物動態のトレンド６２とＴＯＦ比のトレンド６３に基づいて、筋弛緩薬の持続投与量を演算により取得する。具体的には、動態演算部３１が演算により取得した筋弛緩薬の薬物動態の値と、第２信号受信部２２が受信した第２信号が示すＴＯＦ比の値に基づき、図２に示す初回の筋弛緩薬投与イベントＡに伴う筋弛緩薬の血中濃度６２ａのトレンド曲線の立ち上がり時から、ＴＯＦ比が所定の閾値を超えるまでの時間Ｔ（初回投与後回復時間）が取得される。そして投与量演算部５１は、当該初回投与後回復時間Ｔに基づき、次回の筋弛緩薬投与イベントＢにおける投与量（持続投与量）を取得する。以降の筋弛緩薬投与イベントＣ、Ｄについても、必要に応じて同様に持続投与量が取得される。
【００４１】
初回投与後回復時間Ｔから筋弛緩薬の持続投与濃度（安定時濃度）を求める手法としては、次式が知られている。筋弛緩薬の持続投与量は、次式により求めた安定時濃度に基づき、既知の換算式を用いて取得される。
安定時濃度（μｇ／ｍｌ）＝２．６−０．０３×Ｔ（分）
【００４２】
投与量演算部５１は、ＴＯＦ比が閾値を所定時間上回り続けた場合に、当該閾値を超えた時点を、初回投与後回復時間Ｔを求めるためのデータとして確定する。このような構成によれば、ノイズなどが原因でＴＯＦ比が一時的に閾値を上回ることにより誤った初回投与後回復時間Ｔが取得される事態を回避できる。
【００４３】
投与量出力部５２は、投与量演算部５１が取得した持続投与量を示す情報を出力する。例えば、投与量出力部５２は、持続投与量を示す数字を、表示画面１０における任意の箇所に表示させる。
【００４４】
このような構成によれば、初回の筋弛緩薬投与イベントに基づいて、次回以降の筋弛緩薬投与イベントにおける筋弛緩薬の持続投与量を示す情報が自動的に提供される。麻酔科医などの医療従事者は、経験や勘に基づく判断に依存することなく、当該情報に基づいて持続投与量を決定できる。したがって、麻酔科医などの医療従事者の負担を軽減できる。
【００４５】
上記の実施形態は本発明の理解を容易にするためのものであって、本発明を限定するものではない。本発明は、その趣旨を逸脱することなく変更・改良され得ると共に、本発明にはその等価物が含まれることは明らかである。
【００４６】
表示画面１０における第１領域１１、第２領域１２、第３領域１３、および第４領域１４は、必ずしも上下方向に配列されることを要しない。各種トレンドが時間的に同期された状態で表示される限りにおいて、時間軸の向きを上下方向とし、第１領域１１、第２領域１２、第３領域１３、および第４領域１４が左右方向に並ぶように表示される構成としてもよい。
【００４７】
第３領域１３と第４領域１４に表示されるトレンドは、それぞれＴＯＦ比と％Ｔ１、およびＴＯＦカウントとＰＴＣのトレンドであることを要しない。第３領域１３については、ＴＯＦ比と％Ｔ１のいずれか一方のみが表示される構成としてもよい。第４領域１４については、ＴＯＦカウントとＰＴＣのいずれか一方のみが表示される構成としてもよい。第３領域１３については、第１電気刺激に対する被検者の筋の反応を示す限りにおいて、任意の情報のトレンドが表示されうる。第４領域１４については、第１電気刺激よりも強い第２電気刺激に対する被検者の筋の反応を示す限りにおいて、任意の情報のトレンドが表示されうる。
【００４８】
投与量出力部５２により出力される持続投与量を示す情報は、必ずしも数字の態様で表示画面１０における表示に供されることを要しない。麻酔科医などの医療従事者が認識可能な限りにおいて、各種シンボル、色、音声などの態様で出力されてもよい。また図１に破線で示すように、当該情報の出力先は表示画面１０に限られない。図示しない記憶装置に保存可能な形式のデータとして出力されてもよい。また図示しない通信ネットワークを通じて他の装置に送信可能な形式のデータとして出力されてもよい。
【００４９】
図１に示すように、表示装置１は、表示画面１０、および当該表示画面１０に接続されたコンピュータにより構成されてもよい。この場合、本発明は、表示装置１を制御するプログラムとして実現されうる。当該プログラムは、当該コンピュータを、上述した第１信号受信部２１、第２信号受信部２２、第３信号受信部２３、指示入力部２４、動態演算部３１、第１表示制御部４１、第２表示制御部４２、第３表示制御部４３、第４表示制御部４４、投与量演算部５１、および投与量出力部５２の少なくとも１つとして動作させる。
【符号の説明】
【００５０】
１：表示装置、１０：表示画面、１１：第１領域、１１ａ：時間軸、１２：第２領域、１３：第３領域、１４：第４領域、２１：第１信号受信部、２２：第２信号受信部、２３：第３信号受信部、２４：指示入力部、３１：動態演算部、４１：第１表示制御部、４２：第２表示制御部、４３：第３表示制御部、４４：第４表示制御部、５１：投与量演算部、５２：投与量出力部、６１：薬物投与状態のトレンド、６１ａ：筋弛緩薬の投与状態のトレンド、６１ｂ：拮抗薬の投与状態のトレンド、６２：薬物動態のトレンド、６３：ＴＯＦ比と％Ｔ１のトレンド、６４：ＴＯＦカウントとＰＴＣのトレンド
【図１】
2015051227.tif 000003
【図２】
2015051227.tif 000004
【図３】
2015051227.tif 000005
【図４】
2015051227.tif 000006